(57)【要約】【課題】扉体開放時の焼網の飛び出し量を大きくして、調理物の出し入れ時に火傷を防止する電気加熱調理器を提供することを目的とする。【解決手段】扉体１２の回動に連動して内筐体１１内を摺動する枠体１６と、内筐体１１内を摺動する焼網１７と、枠体１６と焼網１７を連結するリンク具１８からなり、リンク具１８は内筐体１１に回動自在に軸部Ｃ１９で軸支するとともに、軸部Ｃ１９側に近い部分に枠体１６と嵌合する摺動穴Ａ１８ａを、軸部Ｃ１９側に遠い部分に焼網１７と嵌合する摺動穴Ｂ１８ｂを備えた構成としたことにより、焼網１７の移動距離が枠体１６の移動距離より拡大するので、扉体開放時における焼網１７の飛び出し量が大きくでき、火傷の危険性が少ない。【選択図】  図１
2004177083.tif 000002
【特許請求の範囲】
【請求項１】
加熱室を形成する内筐体と、加熱室前面の開口を回動することにより開閉する扉体と、一端の軸部Ａを扉体に回動自在に軸支し他端を内筐体の側壁に設けた長穴Ａ内に摺動自在に挿入した枠体と、一端の軸部Ｂを内筐体の側壁に設けた長穴Ｂ内に摺動自在に挿入し他端を扉体に装着した軸部上に摺動自在に載置した、調理物を載置する焼網と、内筐体に回動自在に軸部Ｃで軸支し前記枠体と焼網を連結するリンク具とを有し、リンク具は、軸部Ｃ側に近い部分に枠体と嵌合する摺動穴Ａを、遠い部分に焼網と嵌合する摺動穴Ｂを備えた電気加熱調理器。
【請求項２】
長穴Ａの形状は、扉体の回動軸を中心とした枠体の軸部Ａの軌跡と略同等の円弧状に形成した請求項１に記載の電気加熱調理器。
【請求項３】
長穴Ｂの形状は、扉体の回動によって決まる、扉体に装着した軸部Ａの高さから焼網の軸部Ｂの高さまでの距離を、回動全域において同距離となるよう円弧状に形成した請求項１または２に記載の電気加熱調理器。
【請求項４】
加熱室を形成する内筐体と、加熱室前面の開口を回動することにより開閉する扉体と、一端を軸部Ａを扉体に回動自在に軸支し他端を内筐体の側壁に設けた長穴Ａ内に摺動自在に挿入した枠体と、内筐体の側壁に設けた長穴Ｂ内に摺動自在に挿入した焼網支持軸と、一端を焼網支持軸に載置し他端を扉体に装着した軸部上に摺動自在に載置した、調理物を載置する焼網と、内筐体に回動自在に軸部Ｃで軸支し前記枠体と焼網支持軸を連結するリンク具とを有し、リンク具は、軸部Ｃ側に近い部分に枠体と嵌合する摺動穴Ａを、遠い部分に焼網支持軸と嵌合する摺動穴Ｂを備えた電気加熱調理器。
【請求項５】
長穴Ａの形状は、扉体の回動軸を中心とした枠体の軸部Ａの軌跡と略同等の円弧に形成した請求項４に記載の電気加熱調理器。
【請求項６】
長穴Ｂの形状は、扉体の回動によって決まる、扉体に装着した軸部Ａの高さから焼網支持軸の高さまでの距離を、回動全域において同距離となるよう円弧状に形成した請求項４または５に記載の電気加熱調理器。
【発明の詳細な説明】
【０００１】
【発明の属する技術分野】
本発明は一般家庭用のオーブントースター等に用いる焼網を備えた電気加熱調理器に関するものである。
【０００２】
【従来の技術】
従来、この種の電気加熱調理器は、内筐体の開口部を開閉する扉体の回動に連動して、焼網が内筐体の開口部から出し入れされるものであった（例えば、特許文献１参照）。
【０００３】
具体的には、図７に示すように、加熱室を形成する内筐体１と、その開口部を、回動軸３を中心に回動して開閉する扉体２と、内筐体１の上下に配した上、下ヒーター４、５と、一端を内筐体１の側壁に設けた長穴１ａ内に摺動自在に挿入し、他端を扉体２に設けた嵌合穴２ａに回動自在に軸支した枠体６と、枠体６の上に載置する焼網７とを有するものである。そして、矢印に示したように、扉体２の回動に連動して枠体６が内筐体１に対して前後に摺動し、焼網７が内筐体１の開口部から出し入れされるものである。
【０００４】
【特許文献１】
特開昭６３−１５０５２７号公報
【０００５】
【発明が解決しようとする課題】
しかしながら、前記従来の構成では、焼網７を載置する枠体６の前後方向の移動距離は、扉体２が回動する前後方向の距離と等しい距離しか移動できないので、扉体２の開放状態での焼網７の内筐体１からの飛び出し量は大きくできず、焼網７上の調理物を出し入れするとき、手が内筐体１に触れ火傷をしやすいという課題を有していた。
【０００６】
本発明は、前記従来の課題を解決するもので、扉体開放時、調理物を載置する焼網の内筐体からの飛び出し量を大きくして、調理物の出し入れ時に手が内筐体に触れにくい安全な電気加熱調理器を提供することを目的とするものである。
【０００７】
【課題を解決するための手段】
前記目的を達成するために、本発明の電気加熱調理器は、扉体の開閉に連動して摺動する枠体と、調理物を載置する焼網とを、内筐体に回動自在に軸部Ｃで軸支したリンク具で連結し、リンク具は、軸部Ｃ側に近い部分に枠体と嵌合する摺動穴Ａを、遠い部分に焼網と嵌合する摺動穴Ｂを備えたものである。
【０００８】
これによって、扉体の回動による焼網の前後方向の移動距離は、リンク具により拡大されるので、扉体の開放時には焼網が内筐体より大きく飛び出させることができる構成となり、調理物の出し入れ時に手が内筐体に触れにくい安全な電気加熱調理器となる。
【０００９】
【発明の実施の形態】
請求項１に記載の発明は、加熱室を形成する内筐体と、加熱室前面の開口を回動することにより開閉する扉体と、一端の軸部Ａを扉体に回動自在に軸支し他端を内筐体の側壁に設けた長穴Ａ内に摺動自在に挿入した枠体と、一端の軸部Ｂを内筐体の側壁に設けた長穴Ｂ内に摺動自在に挿入し他端を扉体に装着した軸部上に摺動自在に載置した、調理物を載置する焼網と、内筐体に回動自在に軸部Ｃで軸支し前記枠体と焼網を連結するリンク具とを有し、リンク具は、軸部Ｃ側に近い部分に枠体と嵌合する摺動穴Ａを、遠い部分に焼網と嵌合する摺動穴Ｂを備えた電気加熱調理器とすることにより、扉体の回動による焼網の前後方向の移動距離は、リンク具により拡大されるので、扉体の開放時には焼網が内筐体より大きく飛び出させることができる構成となり、調理物の出し入れ時に手が内筐体に触れにくい安全な電気加熱調理器となる。
【００１０】
請求項２に記載の発明は、長穴Ａの形状は、扉体の回動軸を中心とした枠体の軸部Ａの軌跡と略同等の円弧状に形成した請求項１に記載の電気加熱調理器とすることにより、枠体の両端は略同一の軌跡上を摺動することとなり、扉体の回動及び枠体の摺動がスムーズとなり、使いやすい電気加熱調理器とすることができる。
【００１１】
請求項３に記載の発明は、長穴Ｂの形状は、扉体の回動によって決まる、扉体に装着した軸部Ａの高さから焼網の軸部Ｂの高さまでの距離を、回動全域において同距離となるよう円弧状に形成した請求項１または２に記載の電気加熱調理器とすることにより、焼網が常に平行状態で移動することとなり、焼網上に載置する調理物が傾きで移動することが無く安全で使い易い電気加熱調理器とすることができる。
【００１２】
請求項４に記載の発明は、加熱室を形成する内筐体と、加熱室前面の開口を回動することにより開閉する扉体と、一端を軸部Ａを扉体に回動自在に軸支し他端を内筐体の側壁に設けた長穴Ａ内に摺動自在に挿入した枠体と、内筐体の側壁に設けた長穴Ｂ内に摺動自在に挿入した焼網支持軸と、一端を焼網支持軸に載置し他端を扉体に装着した軸部上に摺動自在に載置した、調理物を載置する焼網と、内筐体に回動自在に軸部Ｃで軸支し前記枠体と焼網支持軸を連結するリンク具とを有し、リンク具は、軸部Ｃ側に近い部分に枠体と嵌合する摺動穴Ａを、遠い部分に焼網支持軸と嵌合する摺動穴Ｂを備えた電気加熱調理器とすることにより、扉体の開放時、調理物を載置する焼網の内筐体からの飛び出し量を大きくすることができ、調理物の出し入れ時に手が内筐体に触れにくい安全な構成となるとともに、焼網が内筐体から着脱することができるので、更に使用性を向上することができる。
【００１３】
請求項５に記載の発明は、長穴Ａの形状は、扉体の回動軸を中心とした枠体の軸部Ａの軌跡と略同等の円弧に形成した請求項４に記載の電気加熱調理器とすることにより、枠体の両端は略同一の軌跡上を摺動するので扉体の回動及び枠体の摺動がスムーズとなり、使いやすい電気加熱調理器とすることができる。
【００１４】
請求項６に記載の発明は、長穴Ｂの形状は、扉体の回動によって決まる、扉体に装着した軸部Ａの高さから焼網支持軸の高さまでの距離を、回動全域において同距離となるよう円弧状に形成した請求項４または５に記載の電気加熱調理器とすることにより、焼網が常に平行状態で移動することとなり、焼網上に載置する調理物が傾きで移動することが無く安全で使い易い電気加熱調理器とすることができる。
【００１５】
【実施例】
以下、本発明の実施例について、図面を参照しながら説明する。
【００１６】
（実施例１）
図１〜図３は本発明の実施例１における電気加熱調理器を示すものである。
【００１７】
図において、１１は加熱室を形成する内筐体で、前面に開口を有している。１２は加熱室前面の開口を回動することにより開閉する扉体で、回動軸１３を中心に回動自在に設けている。１４、１５は内筐体１１の上下に配した上、下ヒーターである。１６は一端の軸部Ａ１６ａが扉体１２に設けた嵌合穴１２ａに回動自在に軸支され、他端を内筐体１１の側壁に設けた長穴Ａ１１ａ内に摺動自在に挿入した枠体である。長穴Ａ１１ａの形状は、扉体１２の回動軸１３を中心とした嵌合穴１２ａの軌跡と略同等の円弧状に形成している。調理物を載置する焼網１７は、一端の軸部Ｂ１７ａを内筐体１１の側壁に設けた長穴Ｂ１１ｂ内に摺動自在に挿入し他端を扉体１２に装着した軸部Ａ１６ａ上に摺動自在に載置している。
【００１８】
なお、実施例においては、軸部Ａ１６ａは枠体１６と一体で共用しているが枠体１６と別部材であってもよい。長穴Ｂ１１ｂの形状は、扉体１２の回動によって決まる嵌合穴１２ａの高さ、すなわち軸部Ａ１６ａから焼網１７の軸部Ｂ１７ａの高さまでの距離を、回動全域において同じ距離になるように円弧状に形成している。１８は内筐体１１に回動自在に軸部Ｃ１９で軸支し前記枠体１６と焼網１７を連結するリンク具であり、軸部Ｃ１９側に近い部分に枠体１６と嵌合する摺動穴Ａ１８ａを、軸部Ｃ１９側に遠い部分に焼網１７と嵌合する摺動穴Ｂ１８ｂを設け、それぞれ枠体１６と焼網１７を嵌合している。２０はリンク具１８を常時一方向に付勢したバネである。
【００１９】
前記リンク具１８及びバネ２０等は、図３に示すように、内筐体１１の左右両側に設置され、扉体１２の回動と焼網１７の摺動がスムーズに連動するようになっているものである。
【００２０】
以上のように構成された電気加熱調理器について、以下その動作、作用を説明する。
【００２１】
まず、図１の状態から扉体１２を回動すると、枠体１６の一端の軸部Ａ１６ａは、扉体１２の嵌合穴１２ａに連動して動き、他端は、内筐体１１に設けた、扉体１２の回動軸１３を中心とした嵌合穴１２ａの軌跡と略同等の円弧状に形成した長穴Ａ１１ａ内を摺動する。リンク具１８は、リンク具１８の軸部Ｃ１９の近い側で摺動穴Ａ１８ａと枠体１６を摺動自在に嵌合しているので、扉体１２の回動とともに軸部Ｃ１９を中心として回動する。
【００２２】
また、リンク具１８の軸部Ｃ１９より遠い側で摺動穴Ｂ１８ｂと焼網１７の軸部Ａ１７ａとが摺動自在に嵌合しているので、焼網１７の移動距離は枠体１６の移動距離より拡大して移動することになる。
【００２３】
また焼網１７は、扉体１２の回動全域において軸部Ａ１６ａの高さから焼網１７の軸部Ｂ１７ａの高さまでの距離を同じ距離に設定した長穴Ｂ１１ｂ内を摺動しているので、焼網１７は常に平行に連動することとなる。
【００２４】
以上のように、本実施例においては、扉体１２の回動に連動して摺動する枠体１６の移動距離をリンク具１８で拡大して焼網１７に伝えるので、扉体１２の開放時における焼網１２の内筐体１１からの飛び出し量を大きくすることができ、焼網１２上の調理物の出し入れ時に手が内筐体１１に触れにくい安全な構成となる。
【００２５】
また、枠体１６の両端は略同一の軌跡上を摺動するので、扉体１２の回動及び枠体１６の摺動がスムーズとなり、使いやすい電気加熱調理器とすることができる。
【００２６】
さらに、焼網１７が摺動する内筐体１１の長穴Ｂ１１ｂの形状を、扉体１２の回動によって決まる嵌合穴１２ａの高さ、すなわち軸部Ａ１６ａの高さから焼網１７の軸部Ｂ１７ａの高さまでの距離を、回動全域において同じ距離になるように円弧状に形成していることにより、焼網１７が常に平行状態で移動することとなり、焼網１７上に載置する調理物が傾きで移動することが無く安全で使い易い電気加熱調理器とすることができる。
【００２７】
（実施例２）
次に、図４〜図６に基づき本発明の実施例２における電気加熱調理器について説明する。実施例１と同一要素には同一符号を付して説明を省略する。
【００２８】
本実施例においては、内筐体１１の側壁に設けた長穴Ｂ１１ｂ内に摺動自在に挿入した焼網支持軸２１を設け、調理物を載置する焼網１７の一端を前記焼網支持軸２１に載置し、他端を扉体１２に装着した軸部Ａ１６ａ上に摺動自在に載置し、焼網１７が内筐体１１から着脱することができるようになっている点において実施例１と相違する。
【００２９】
以上のように構成された電気加熱調理器について、以下その動作、作用を説明する。
【００３０】
まず、図１の状態から扉体１２を回動すると、枠体１６の一端の軸部Ａ１６ａは、扉体１２の嵌合穴１２ａに連動して動き、他端は、内筐体１１に設けた、扉体１２の回動軸１３を中心とした嵌合穴１２ａの軌跡と略同等の円弧状に形成した長穴Ａ１１ａ内を摺動する。リンク具１８は、リンク具１８の軸部Ｃ１９の近い側に摺動穴Ａ１８ａと枠体１６を摺動自在に嵌合しているので、扉体１２の回動とともに軸部Ｃ１９を中心として回動する。
【００３１】
また、リンク具１８の軸部Ｃ１９より遠い側の摺動穴Ｂ１８ｂに焼網支持軸２１が摺動自在に嵌合しているので、この焼網支持軸２１上の焼網１７の移動距離は、枠体１６の移動距離より拡大して移動することになる。
【００３２】
また焼網１７は、扉体１２の回動全域において軸部Ａ１６ａの高さから焼網１７の軸部Ｂ１７ａの高さまでの距離を同じ距離に設定した長穴Ｂ１１ｂ内を摺動しているので、焼網１７は常に平行に連動することとなる。
【００３３】
また、焼網支持軸２１は、扉体１２の回動全域において軸部Ａ１６ａの高さから焼網支持軸２１の高さまでの距離を同じ距離に設定した長穴Ｂ１１ｂを摺動しているので、焼網１７は常に平行に連動することとなる。
【００３４】
以上のように、本実施例においては、扉体１２の回動に連動して摺動する枠体１６の移動距離をリンク具１８で拡大して焼網支持軸２１に伝えるので、扉体１２の開放時は焼網支持軸２１に載置する焼網１７の内筐体１１からの飛び出し量を大きくすることができ、調理物の出し入れ時に手が内筐体１１に触れにくい安全な構成とすることができるとともに、焼網１７が内筐体１１から着脱することができるので、更に使用性を向上することができる。
【００３５】
また、枠体１６の両端は略同一の軌跡上を摺動するので、扉体１２の回動及び枠体１６の摺動がスムーズとなり、使いやすい電気加熱調理器とすることができる。さらに、焼網支持軸２１が摺動する内筐体１１の長穴Ｂ１１ｂの形状を、扉体１２の回動によって決まる嵌合穴１２ａの高さ、すなわち軸部Ａ１６ａから焼網支持軸２１の高さまでの距離を、回動全域において同じ距離に設定することにより、焼網支持軸２１上に載置する焼網１７が常に平行状態で移動することとなり、焼網１７上に載置する調理物が傾きで移動することが無く安全で使い易い電気加熱調理器とすることができる。
【００３６】
【発明の効果】
以上のように、本発明の電気加熱調理器によれば、扉体の開放時、調理物を載置する焼網の内筐体からの飛び出し量を大きくすることができ、調理物の出し入れ時に手が内筐体に触れにくい安全な構成とすることができる。
【図面の簡単な説明】
【図１】本発明の実施例１における電気加熱調理器の扉体閉止時の側断面図
【図２】同電気加熱調理器の扉体開放時の側断面図
【図３】同電気加熱調理器の内部構成を示す平断面図
【図４】本発明の実施例２における電気加熱調理器の扉体閉止時の側断面図
【図５】同電気加熱調理器の扉体開放時の一部構成を示す側断面図
【図６】同電気加熱調理器の内部構成の一部を示す平断面図
【図７】従来の電気加熱調理器における扉体閉止時の側断面図
【符号の説明】
１１  内筐体
１１ａ  長穴Ａ
１１ｂ  長穴Ｂ
１２  扉体
１２ａ  嵌合穴
１６  枠体
１６ａ  軸部Ａ
１７  焼網
１７ａ  軸部Ｂ
１８  リンク具
１９  軸部Ｃ
２１  焼網支持軸
【図１】
2004177083.tif 000003
【図２】
2004177083.tif 000004
【図３】
2004177083.tif 000005
【図４】
2004177083.tif 000006
【図５】
2004177083.tif 000007
【図６】
2004177083.tif 000008
【図７】
2004177083.tif 000009